(57)【要約】　　　（修正有）【課題】断面多角形状のボルト頭、ナット等の被回転体に側方から嵌合係合させることができ、その係合状態のまま往復回動させて被回転体を締めつけ又は緩めることができる便利なスパナを提供する。る。【解決手段】ハンドル部１と、ハンドル部の端部に連設された固定二股部２は第１及び第２の固定アーム部２１、２２を含んでおり、開度可変二股部３は固定アーム部間に配置された第１及び第２の係合用アーム部３１、３２を含んでいる。係合用アーム部３１、３２は片方の端部３１１、３２１同士が固定アーム部間において互いに回動可能に連結され、自由端部３１２、３２２が固定アーム部間の開口部Ｓ１に臨み、該回動可能連結部３０を中心部として開度可変であり、係合用アーム部３１、３２及び固定アーム部２２は内面に被回転体Ｗの角部Ｃに係脱可能の凹段部３１７ａ、３１８、３３、３２５ａ、２２５、２２６を有している。【選択図】　図４
2004034271.tif 000002
【特許請求の範囲】
【請求項１】
ハンドル部と、
ハンドル部の少なくとも片方の端部に連設された固定二股部と、
固定二股部内に配置された開度可変二股部とを備えており、
固定二股部は互いに対向する第１及び第２の固定アーム部を含んでおり、該固定アーム部の間に、断面形状多角形のボルト頭、ナット等の被回転体に対しその側方から嵌脱可能の固定アーム部自由端部間の開口部及び該開口部に連続する空間部を有しており、
開度可変二股部は第１及び第２の固定アーム部の間に配置された、被回転体にその側方から外嵌係合するための第１及び第２の係合用アーム部を含んでおり、
第１及び第２の係合用アーム部は片方の端部同士が固定アーム部間の空間部において互いに回動可能に連結され、分離している自由端部が固定アーム部間の開口部に臨み、該回動可能連結部を中心部として開度可変であり、
第１及び第２の係合用アーム部のうち少なくとも一方の内面に被回転体の角部に係脱可能の凹段部を有しており、
第１及び第２の係合用アーム部は、それらの回動可能連結部が第１及び第２の固定アーム部間で往復動可能であるとともに全体が第１及び第２の固定アーム部に対し回動可能であり、
該回動可能連結部は、第１固定アーム部に当接する方向にバネで偏寄力を付与されており、
固定二股部の開口部から開度可変二股部の第１及び第２の係合用アーム部間に被回転体を嵌めた状態で被回転体を中心に被回転体に対しハンドル部を第１固定アーム部側へ相対的に回すことで、バネに抗して、第１及び第２の係合用アーム部の回動可能連結部が第２固定アーム部に近づくように、第１及び第２の係合用アーム部の全体が第１及び第２の固定アーム部に対しハンドル部の第１固定アーム部側への回動方向とは相対的に反対方向に若干回動し、ハンドル部の同方向へのさらなる回動に伴って第１係合用アーム部が、前記凹段部に隣合う山部が被回転体の角部を乗り越え得るように第１固定アーム部側へ後退する位置をとった後再びバネの弾性復元力にて、第１及び（又は）第２係合用アーム部の凹段部が被回転体角部に係合復帰することを許す位置をとることができ、
第１及び（又は）第２の係合用アーム部における凹段部が被回転体角部に係合した状態でハンドル部を該被回転体に対し相対的に第２固定アーム部側へ回すことで第１及び第２の係合用アーム部の回動可能連結部がバネに助けられて第１固定アーム部に当接するとともに第１及び第２の係合用アーム部が被回転体と係合状態のまま固定二股部及び開度可変二股部が共にハンドル部とともに回動して被回転体を回動させることができることを特徴とするスパナ。
【請求項２】
第１及び第２の係合用アーム部のそれぞれは内面に被回転体の角部に係脱可能の凹段部を有しており、
第２の固定アーム部も内面に前記凹段部を有しており、
第１及び第２の係合用アーム部内面の相互出会い部、並びに第２の固定アーム部の内面と第２の係合アーム部の内面の相互出会い部も前記凹段部を形成しており、
前記各凹段部は少なくとも１つおきに被回転体の角部と係合して該被回転体を保持できる位置に配置されている請求項１記載のスパナ。
【請求項３】
第１の係合用アーム部の自由端部から第２の係合用アーム部の自由端部に至る両係合用アーム部の内面は凹曲面状に形成されており、該凹曲面状の内面に被回転体の角部に係脱可能の前記凹段部が複数段形成されている請求項１又は２記載のスパナ。
【請求項４】
第１及び第２の固定アーム部間の前記空間部は、両固定アーム部の自由端部間の開口部に連続する中間空間部と該中間空間部に連続する奥空間部とを含んでおり、第１及び第２の係合用アーム部は、片方の端部同士が該奥空間部において互いに回動可能に連結されて該中間空間部へ延びている請求項１、２又は３記載のスパナ。
【請求項５】
第１固定アーム部は、第１係合用アーム部の自由端部から中間部分に至る部分の外面の少なくとも一部が円弧を描いて接触摺動可能である内面を有しているとともに第１及び第２の係合用アーム部の回動可能連結部を接触させて支持するための奥側内面を有しており、
第２固定アーム部は、第２係合用アーム部の自由端部から中間部分に至る部分の外面の少なくとも一部が円弧を描いて接触摺動可能である内面を有しているとともに第１及び第２の係合用アーム部の前記回動可能連結部を前記バネを介して支持するための奥側内面を有している請求項１から４のいずれかに記載のスパナ。
【請求項６】
第１係合用アーム部の自由端部から中間部に至る部分の外面は凸曲面に形成されており、第１固定アーム部は第１係合用アーム部の該凸曲面の外面のうち少なくとも一部が接触摺動可能の凹曲面の内面と前記奥側内面とを有しており、
第２係合用アーム部の自由端部から中間部に至る部分の外面は凸曲面に形成されており、第２固定アーム部は第２係合用アーム部の該凸曲面の外面のうち少なくとも一部が接触摺動可能の凹曲面の内面と前記奥側内面とを有している請求項５記載のスパナ。
【請求項７】
第１及び第２の係合用アーム部のうち一方の係合用アーム部の片方の端部に他方の係合用アーム部の片方の端部が回動可能に嵌め込まれることで第１及び第２の係合用アーム部の端部同士が回動可能に連結されている請求項１から６のいずれかに記載のスパナ。
【請求項８】
第１係合用アーム部の片方の端部に第２係合用アーム部の片方の端部が回動可能に嵌め込まれることで第１及び第２の係合用アーム部の端部同士が回動可能に連結されている請求項７記載のスパナ。
【請求項９】
第１及び第２の係合用アーム部の回動可能連結部は両固定アーム部間の奥側へ突出する突出部を含んでおり、該突出部は該回動可能連結部を構成している両係合用アーム部の端部のうち一方の係合用アーム部の端部に形成されており、該突出部と第２固定アーム部との間に前記バネが装着されており、該回動可能連結部は該一方の係合用アーム部の第１固定アーム部に向けられた部分で第１固定アーム部に当接できる請求項１から８のいずれかに記載のスパナ。
【請求項１０】
第１及び第２の係合用アーム部の回動可能連結部は両固定アーム部間の奥側へ突出する突出部を含んでおり、該突出部は該回動可能連結部を構成している両係合用アーム部の端部のうち一方の係合用アーム部端部が回動可能に嵌め込まれて端部に外嵌している他方の係合用アーム部の該端部に形成されており、該突出部と第２固定アーム部との間に前記バネが装着されており、該回動可能連結部は、該突出部を有している他方の係合用アーム部端部の第１固定アーム部に向けられた部分で第１固定アーム部に当接できる請求項７、８又は９記載のスパナ。
【発明の詳細な説明】
【０００１】
【発明の属する技術分野】
本発明は断面形状が多角形のボルト頭、ナット等の被回転体を回すスパナに関する。
【０００２】
【従来の技術】
従来、断面形状が多角形のボルト頭、ナット等の被回転体を緊締状態へ締めつけたり、緊締状態から緩めるために回す道具としてレンチ、スパナ等と称されている回し具がある。
【０００３】
かかる従来の回し具は、大別してボルト頭、ナット等の被回転体に上方から嵌めるタイプのものと、被回転体の側方から嵌めるタイプのものがある。
【０００４】
被回転体に上方から嵌めるタイプの回し具としてはボックスレンチや被回転体に嵌合係合させる部分を取り替えることができるソケットレンチ、被回転体に上方から嵌合係合させる孔を有する孔あきスパナ等が知られており、被回転体の側方から嵌めるタイプの回し具として被回転体へ側方から嵌合係合させる二股部を有するスパナが知られている。
【０００５】
またボックスレンチ、ソケットレンチ、孔あきスパナ等の被回転体に上方から嵌める回し具ではラチエット機構を備えていて、回し具を一方向に回すときのみ被回転体にトルクが掛かり、それ故、被回転体に嵌合係合させたまま回し具を往復回動させて被回転体を締めつけ又は緩めることができるものもある。
【０００６】
【発明が解決しようとする課題】
しかしながら、ボルト、ナット等の被回転体は各種機械、車両等の様々の部位に設けられ、被回転体の上方から回し具を嵌合係合させ得ない部位に設けられることも多々ある。
【０００７】
このような場合、被回転体へその側方から係合可能の二股部を有するスパナを使用しなければならないところ、かかるスパナには、通常、それを被回転体に係合させたまま往復回動させて被回転体を締めつけ又は緩めることができるラチエット機構のような機構が備わっていない。従って、スパナを、被回転体周囲の障害物の状況等に応じて許される範囲で回し、そのあと一旦被回転体から外して、被回転体に係合し直し、再び回すという面倒で手間のかかる作業を繰り返さなければならない。
【０００８】
そこで本発明は、断面多角形状のボルト頭、ナット等の被回転体に側方から嵌合係合させることができ、その係合状態のまま往復回動させて被回転体を締めつけ又は緩めることができる便利なスパナを提供することを課題とする。
【０００９】
また本発明は少ない部品点数で簡単な構造に製作でき、それだけ安価に製作できるスパナを提供することを課題とする。
【００１０】
また本発明は使い易いスパナを提供することを課題とする。
【００１１】
【課題を解決するための手段】
本発明は次のスパナを提供する。
【００１２】
本発明に係るスパナはハンドル部と、ハンドル部の少なくとも片方の端部に連設された固定二股部と、固定二股部内に配置された開度可変二股部とを備えている。
【００１３】
固定二股部は互いに対向する第１及び第２の固定アーム部を含んでおり、該固定アーム部の間に、断面形状多角形のボルト頭、ナット等の被回転体に対しその側方から嵌脱可能の固定アーム部自由端部間の開口部及び該開口部に連続する空間部を有している。
【００１４】
開度可変二股部は第１及び第２の固定アーム部の間に配置された第１及び第２の係合用アーム部を含んでおり、該第１及び第２の係合用アーム部は被回転体にその側方から外嵌係合するためのものである。
【００１５】
第１及び第２の係合用アーム部は片方の端部同士が固定アーム部間の空間部において互いに回動可能に連結され、分離している自由端部が固定アーム部間の開口部に臨み、該回動可能連結部を中心部として開度可変である。
【００１６】
第１及び第２の係合用アーム部のうち少なくとも一方の内面に断面形状が多角形状の被回転体の角部に係脱可能の凹段部を有している。
【００１７】
第１及び第２の係合用アーム部は、それらの回動可能連結部が第１及び第２の固定アーム部間で若干可動（若干往復動可能）であるとともに全体が第１及び第２の固定アーム部に対し若干回動可能（若干往復回動可能）である。
【００１８】
該回動可能連結部は、第１固定アーム部に当接する方向にバネで偏寄力を付与されている。
【００１９】
このスパナによると、固定二股部の開口部から開度可変二股部の第１及び第２の係合用アーム部間に、例えば回し具を用いないと回転させるのが困難である程に回転に対する抵抗のある被回転体を嵌めた状態で被回転体を中心にハンドル部を第１固定アーム部側へ被回転体に対し相対的に回すことで、バネに抗して、第１及び第２の係合用アーム部の回動可能連結部が第２固定アーム部に近づくように、第１及び第２の係合用アーム部の全体が第１及び第２の固定アーム部に対しハンドル部の第１固定アーム部側への回動方向とは相対的に反対方向に若干回動する。ハンドル部の同方向へのさらなる回動に伴って第１係合用アーム部が、前記凹段部に隣合う山部が被回転体の角部を乗り越え得るように第１固定アーム部側へ後退する位置をとった後再びバネの弾性復元力にて、第１及び（又は）第２係合用アーム部の凹段部が被回転体角部に係合復帰することを許す位置をとることができる。
【００２０】
ここで、後退位置とは、ハンドル部の第１固定アーム部側へのさらなる回動に伴って第１係合用アーム部が、第１及び第２係合用アーム部の少なくとも一方の内面の前記凹段部に隣合う山部が被回転体の角部を乗り越え得るように第１固定アーム部側へ後退する位置である。
【００２１】
係合位置とは、第１及び第２の係合用アーム部の凹段部が被回転体角部に係合することを許す位置である。
【００２２】
このように第１係合用アーム部が後退位置又は係合位置をとることができる状態では、ハンドル部の第１固定アーム部側への回動操作に伴って第１係合用アーム部が後退位置と係合位置との間を繰り返し往復動でき、それによりハンドル部を第１固定アーム部側へ任意の角度回動させて第１及び（又は）第２の係合用アーム部における凹段部を被回転体の角部に係合させることができる。
【００２３】
また、第１及び（又は）第２の係合用アーム部における凹段部が被回転体角部に係合した状態でハンドル部を該被回転体に対し相対的に第２固定アーム部側へ回すことで第１及び第２の係合用アーム部の回動可能連結部がバネに助けられて第１固定アーム部に当接する。この当接は、第１及び第２の係合用アーム部全体が第１及び第２の固定アーム部に対しハンドル部の第２固定アーム部側への回動方向とは相対的に反対方向に若干回動することでなされる。
【００２４】
さらにハンドル部を同方向に回すことで第１及び第２の係合用アーム部が被回転体と係合状態のまま固定二股部及び開度可変二股部が共にハンドル部とともに回動して被回転体を回動させることができ、該被回転体がボルト頭やナットのときはそれを締めつける、又は緩めることができる。
【００２５】
本発明に係るスパナは、少ない部品点数で簡単な構造に製作でき、それだけ安価に製作できる。
【００２６】
また本発明に係るスパナは片手でも簡単に操作することができ、使い易い。
【００２７】
本発明に係るスパナにおいては、第１の係合用アーム部の自由端部から第２の係合用アーム部の自由端部に至る両係合用アーム部の内面は全体として凹曲面状に（代表的には連続した凹曲面状に）形成することができる。この場合、該凹曲面状の内面に被回転体の角部に係脱可能の前記凹段部を形成することができる。いずれにしても、凹段部は第１及び第２の係合用アーム部のうち少なくとも一方の内面に少なくとも一つは設けるが、凹段部は必要に応じ複数段形成してもよい。
【００２８】
また、第２固定アーム部の内面にも前記凹段部を形成してもよい。第１及び第２の係合用アーム部の内面の相互出会い部や、第２の固定アーム部の内面と第２の係合用アーム部の内面の相互出会い部にも前記凹段部を形成してもよい。
【００２９】
いずれにしても、凹段部を複数設ける場合、前記各凹段部は、少なくとも１つおきに該回転体の角部と係合して該被回転体を保持できる位置に配置することが考えられる。
【００３０】
また本発明に係るスパナにおいては、第１及び第２の固定アーム部間の前記空間部は、両固定アーム部の自由端部間の開口部に連続する中間空間部と該中間空間部に連続する奥空間部とを含んでいてもよい。この場合第１及び第２の係合用アーム部は、片方の端部同士を該奥空間部において互いに回動可能に連結して該中間空間部へ延ばし配置することができる。
【００３１】
また本発明に係るスパナでは、第１固定アーム部は、第１係合用アーム部の自由端部から中間部分に至る部分の外面の少なくとも一部が円弧を描いて接触摺動可能である内面を有するとともに第１及び第２の係合用アーム部の回動可能連結部を接触させて支持するための奥側内面を有することができる。
【００３２】
そして、第２固定アーム部は、第２係合用アーム部の自由端部から中間部分に至る部分の外面の少なくとも一部が円弧を描いて接触摺動可能である内面を有するとともに第１及び第２の係合用アーム部の前記回動可能連結部を前記バネを介して支持するための奥側内面を有することができる。
【００３３】
また、第１係合用アーム部の自由端部から中間部に至る部分の外面が凸曲面に形成され、第１固定アーム部は第１係合用アーム部の該凸曲面の外面のうち少なくとも一部が接触摺動可能の凹曲面の内面と前記奥側内面とを有することができる。
【００３４】
そして、第２係合用アーム部の自由端部から中間部に至る部分の外面が凸曲面に形成され、第２固定アーム部は第２係合用アーム部の該凸曲面の外面のうち少なくとも一部が接触摺動可能の凹曲面の内面と前記奥側内面とを有することができる。
【００３５】
本発明に係るスパナにおける第１及び第２の係合用アーム部の回動可能連結部は第１及び第２の固定アーム部間で若干可動であり、少なくとも第１固定アーム部に当接できる。なお、第２固定アーム部にも当接可能としてもよい。該回動可能連結部の第１固定アーム部又は第２固定アーム部への当接については、該回動可能の連結態様に応じて、
（ａ）第１係合用アーム部の端部の第１固定アーム部に向けられた部分が第１固定アーム部に当接でき、或いはさらに第２固定アーム部に向けられた部分が第２固定アーム部に当接できてもよいし、
（ｂ）第２係合用アーム部の端部の第１固定アーム部に向けられた部分が第１固定アーム部に当接でき、或いはさらに第２固定アーム部に向けられた部分が第２固定アーム部に当接できてもよいし、
（ｃ）第１係合用アーム部の端部の第１固定アーム部に向けられた部分が第１固定アーム部に当接でき、或いはさらに第２係合用アーム部の第２固定アーム部に向けられた部分が第２固定アーム部に当接できてもよいし、
（ｄ）第２係合用アーム部の端部の第１固定アーム部に向けられた部分が第１固定アーム部に当接でき、或いはさらに第１係合用アーム部の第２固定アーム部に向けられた部分が第２固定アーム部に当接できてもよい。
【００３６】
第１及び第２の係合用アーム部の端部同士の回動可能の連結の態様は種々選択採用できる。
【００３７】
例えば、第１及び第２の係合用アーム部の片方の端部同士が重ねられて相互に回動可能に連結されてもよいし、一方の係合用アーム部の端部に他方の係合用アーム部の端部を回動可能に嵌め込む態様で相互回動可能に連結されてもよい。後者の連結態様はスパナを平坦にコンパクト化できるのでより好ましい。
【００３８】
この後者の連結態様の例として、第１係合用アーム部の片方の端部に第２係合用アーム部の片方の端部が回動可能に嵌め込まれることで第１及び第２の係合用アーム部の端部同士が回動可能に連結される場合を挙げることができる。
【００３９】
本発明に係るスパナでは、第１及び第２の係合用アーム部の回動可能連結部は両固定アーム部間の奥側へ突出する突出部を含むことができる。該突出部は該回動可能連結部を構成している両係合用アーム部の端部のうち一方の係合用アーム部の端部に形成することができる。該突出部と第２固定アーム部との間に前記バネを装着することができる。該回動可能連結部は該一方の係合用アーム部の第１固定アーム部に向けられた部分で第１固定アーム部に当接でき、或いはさらに該突出部で第２固定アーム部に当接できるようにしてもよい。
【００４０】
前記のように一方の係合用アーム部の端部に他方の係合用アーム部の端部を回動可能に嵌め込む態様で両係合用アーム部を相互回動可能に連結する場合、第１及び第２の係合用アーム部の回動可能連結部は両固定アーム部間の奥側へ突出する突出部を含むことができる。該突出部は該回動可能連結部を構成している両係合用アーム部の端部のうち一方の係合用アーム部端部が回動可能に嵌め込まれて端部に外嵌している他方の係合用アーム部の該端部に形成することができる。さらに、該突出部と第２固定アーム部との間に前記バネを装着することができる。該回動可能連結部は、該突出部を有している他方の係合用アーム部端部の第１固定アーム部に向けられた部分で第１固定アーム部に当接でき、或いはさらに該突出部で第２固定アーム部に当接できるようにすることができる。
【００４１】
【発明の実施の形態】
以下本発明の実施の形態を図面を参照して説明する。
【００４２】
図１は本発明に係るスパナの１例の全体平面図であり、図２は該スパナの底面図である。図３は該スパナの上蓋部を取り外した平面図である。図４は該スパナの上蓋部を取り外した状態の要部の拡大平面図である。
【００４３】
図１から図４に示すスパナＳＰは、ハンドル部１と、ハンドル部１の片方の端部に一体的に連設された固定二股部２と、固定二股部２内に配置された開度可変二股部３とを備えている。さらに後述する第１バネ４も備えている。バネ４も固定二股部２内に配置されている。
【００４４】
これら開度可変二股部３及びバネ４は、固定二股部２内に配置されているとともに、上蓋部２０１及び下蓋部２０２の間に可動に挟まれている。上蓋部２０１は固定二股部２の上面側（平面側）に当てがわれ、固定二股部２にネジにて着脱可能に設けられており、下蓋部２０２は固定二股部２の下面側（底面側）に固定二股部２に沿って固定二股部２に一体的に形成されている。
【００４５】
固定二股部２は、互いに対向する第１及び第２の固定アーム部２１、２２を含んでいる。固定アーム部２１、２２の間には固定アーム部自由端部２１０、２２０間の開口部Ｓ１、該開口部に連続する中間空間部Ｓ２及び該中間空間部に連続する奥空間部Ｓ３が提供されている。これら開口部Ｓ１及び中間空間部Ｓ２は、断面形状多角形のボルト頭、ナット等の被回転体Ｗ（図５等参照）に対しその側方から嵌脱可能である。自由端部２１０及び自由端部２２０は互いに平行である開口部内面２１３、２２４をそれぞれ有している（図４参照）。
【００４６】
開度可変二股部３は、第１及び第２の固定アーム部２１、２２の間に配置された第１及び第２の係合用アーム部３１、３２を含んでいる。係合用アーム部３１、３２は被回転体Ｗにその側方から外嵌係合できるものである。
【００４７】
第１係合用アーム部３１の片方の端部３１１及び第２係合用アーム部３２の片方の端部３２１は固定アーム部間の奥空間部Ｓ３の入口領域において互いに回動可能に連結されている。そして係合用アーム部３１、３２は固定アーム部２１、２２間の中間空間部Ｓ２へ延びている。アーム部３１の自由端部３１２は固定アーム部間の開口部Ｓ１に臨んでいる。また、アーム部３２の自由端部３２２は中間空間部Ｓ２を介して開口部Ｓ１に臨んでいる。両係合用アーム部３１、３２は回動可能連結部３０を中心部として開度可変である。
【００４８】
ここでは回動可能連結部３０は第１係合用アーム部３１の端部３１１に形成した短円筒状孔３１１ａに第２係合用アーム部３２の短円柱状端部３２１が回動可能に嵌め込まれて、平坦にコンパクトに形成されている。アーム部端部３１１には円筒状孔３１１ａに連続する切欠部３１１ｂが形成されており、ここを第２係合用アーム部３２の中間部３２３が通っている。第１及び第２の係合用アーム部３１、３２はこの切欠部３１１ｂにて許される範囲で互いに回動可能である。
【００４９】
第１固定アーム部２１は、第１係合用アーム部３１の自由端部３１２から中間部分３１３に至る部分の外面３１４の少なくとも一部が円弧を描いて接触摺動可能である内面２１１を有している。また、固定アーム部２１は、第１及び第２係合用アーム部の回動可能連結部３０の第１固定アーム部２１に向けられた部分３１５を接触させて支持するための奥側内面２１２を有している。
【００５０】
ここでは、第１係合用アーム部３１の外面３１４は凸曲面であり、第１固定アーム部２１の内面２１１は凹曲面である。また、回動可能連結部３０の第１固定アーム部２１に向けられた部分３１５はここでは第１係合用アーム部の端部３１１の第１固定用アーム部２１に向けられた平坦面の外面３１５であり、これが当接可能の固定アーム部２１の奥側内面２１２は平坦面である。奥側内面２１２は固定アーム部間の奥空間部Ｓ３の内面の一部である。
【００５１】
第２固定アーム部２２は、第２係合用アーム部３２の自由端部３２２から中間部分３２３に至る部分の外面３２４の少なくとも一部が円弧を描いて接触摺動可能である内面２２１を有している。ここでは、第２係合用アーム部３２の外面３２４は凸曲面であり、第２固定アーム部２２の内面２２１は凹曲面である。
【００５２】
また、奥側空間部Ｓ３は、第１及び第２係合用アーム部の回動可能連結部３０のハンドル部１に向けられた突出部分３１６が臨む奥側底面２１４を有している。
【００５３】
また、回動可能連結部３０の第２固定アーム部２２に向けられた突出部分３１６はここでは第１係合用アーム部の端部３１１が有する突出部３１６であり、これが奥側へ突出しているとともに第２固定アーム部２２の奥側内面２２２に向けられている。突出部３１６の第２固定アーム部に向けられた外面３１６ａは平坦外面であり、奥側内面２２２の奥には奥側内面２２２の一部であるバネ受け面２２３が形成されている。奥側内面２２２及びそのバネ受け面２２３も奥空間部Ｓ３の内面の一部である。
【００５４】
前記のバネ受け内面２２３と第１係合用アーム部端部の突出部３１６との間には、回動可能連結部３０を第１固定アーム部２１の方へ向かわせる偏寄力を付与するバネ４が装着されている。
【００５５】
アーム部３１の自由端部３１２からアーム部３２の自由端部３２２に至る連続する両アーム部内面は全体として凹曲面に形成されている。
【００５６】
係合用アーム部３１の自由端部３１２から中間部分３１３に至る部分の内面３１７はここでは全体として凹曲面に形成されているとともに該凹曲面に被回転体Ｗの角部Ｃに係脱可能の凹段部を３段（中央部の凹段部３１７ａと凹段部３１７ａの両サイドの凹段部３１８）有している。係合用アーム部３２の自由端部３２２から中間部分３２３に至る部分の内面３２５には該凹曲面に被回転体Ｗの角部Ｃに係脱可能の凹段部３２５ａが形成されている。第１係合アーム部３１と第２係合アーム部３２の内面の相互出会い部に被回転体Ｗの角部Ｃに係脱可能な凹段部３３が形成されている。また、第２固定アーム部２２の内面２２４も被回転体Ｗの角部Ｃに係脱可能の凹段部２２５を有している。また、第２係合アーム部３２の自由端部３２２の内面と第２固定アーム部の内面２２４（より正確には第２固定アーム部の一部とも言える下蓋部２０２の内側面）との出会い部によって形成される凹段部２２６も被回転体Ｗの角部Ｃに係脱可能な形状となっている。
【００５７】
係合用アーム部３１、３２は、それらの回動可能連結部３０が固定アーム部２１、２２における奥側内面２１２、２２２間で若干往復動可能であるとともに全体が固定アーム部２１、２２に対し若干往復回動可能である。
【００５８】
すなわち、係合用アーム部３１、３２が外力を受けていない状態では、図４に示すように、バネ４が係合用アーム部３１の端部の突出部３１６を第１固定アーム部の奥側内面２１２の方へ押し、これにより回動可能連結部３０は、その外面３１５が奥側内面２１２に当接するまで第１固定アーム部２１の方へ移動するとともにこれに伴って両係合用アーム部３１、３２の全体が両固定アーム部２１、２２に対し相対的に若干図中反時計方向に回動できる。
【００５９】
このように係合用アーム部端部３１１の外面３１５が固定アーム部２１の平坦な奥側内面２１２に当接支持された状態では、第１係合用アーム部３１の外面３１４のうち自由端部３１２の外面部分３１４ａが第１固定アーム部２１の自由端部２１０の凹曲内面２１１ａ接近又は当接するように臨む。
【００６０】
また、第２係合用アーム部３２はその外面３２４の一部が第２固定アーム部２２の凹曲内面２２１に接近又は当接するように臨む。
【００６１】
図４に示す状態から、回転抵抗が加わっている被回転体Ｗを両係合用アーム部３１、３２間に嵌合させる等の操作により係合用アーム部３１、３２を開こうとする外力が加わると、特に第１係合用アーム部３１に開き方向の外力が加わると、回動可能連結部３０がバネ４に抗して第２固定アーム部２２側へ、第１係合用アーム部の自由端部３１２の外面３１４が第１固定アーム部２１の内面２１１へ近づくように移動し、これにともなって両係合用アーム部３１、３２の全体が固定アーム部２１、２２に対し相対的に図４中時計方向に若干回動する。これにより第２係合用アーム部３２の自由端部３２２の凸曲外面部分３２４ａが第２固定アーム部凹曲内面２２１に近づくように移動する。
【００６２】
なお、図４に示す状態は、
（１）係合用アーム部３１の２つの凹段部３１８、係合用アーム部３２の凹段部３２５ａ及び第２固定アーム部２２の凹段部２２５又は
（２）係合用アーム部３１の凹段部３１７ａ、第２固定アーム部２２と第２係合アーム部３２とが形成する凹段部２２６及び第１係合アーム部３１と第２係合アーム部３２とが形成する凹段部３３
が被回転体Ｗの角部Ｃに正しく係合した状態であり、該被回転体をこれから回そうとする直前の状態に一致する。
【００６３】
以上説明したスパナＳＰによると、ある程度回転に対し抵抗のある、例えば回し具を用いなければ回転が困難である程に回転に対する抵抗が加わっている被回転体Ｗを次のようにして回すことができる。
【００６４】
先ず、図５（Ａ）に示すように、固定二股部２の開口部Ｓ１から開度可変二股部３の係合用アーム部３１、３２間に被回転体Ｗを嵌める。このとき被回転体Ｗの平行をなす向かい合った辺部Ｈが、第１固定アーム部２１の自由端部内面２１３と第２固定アーム部２２の自由端部内面２２４と平行になるようにする。このとき、被回転体Ｗの角部のうち最も奥になる角部が凹段部３３と係合する。
【００６５】
係合用アーム部３１、３２における凹段部３１７ａ、３３及び第２固定アーム部２２と第２係合アーム部３２による凹段部３２６が被回転体角部Ｃに係合したポジションＰ１の状態で図５（Ｂ）に示すようにハンドル部１を被回転体Ｗに対し相対的に第２固定アーム部２２側へ回すことで係合用アーム部３１、３２の回動可能連結部分３０におけるアーム部３１の端部３１１の外面３１５がバネ４に助けられて第１固定アーム部２１の奥側内面２１２に当接し、係合用アーム部３１、３２が被回転体Ｗと係合状態のまま固定二股部２及び開度可変二股部３が共にハンドル部１とともに回動して被回転体Ｗを回動させることができ、該被回転体がボルト頭やナットのときはそれを締めつける、又は緩めることができる。
【００６６】
なお凹段部３１７ａ、３１８、３３、２２５、２２６、３２５ａ或いは山部３１７ｂ、３２５ｂは、図５（Ｂ）に示すように、これら凹段部に正しく係合した被回転体Ｗの中心周りに、中心角θ＝３０°間隔で形成されている。中心角θは３０°に限定されるものではなく、被回転体Ｗの辺数（角部の頂角）等に応じて適宜定めることができる。
【００６７】
被回転体Ｗを所定角度回動したのち、ハンドル部１を被回転体Ｗに対し相対的に第１固定アーム部２１側へ回すことで図５（Ｃ）に示すように、バネ４に抗して係合用アーム部３１、３２の回動可能連結部分３０における第１アーム部端部３１１の突出部３１６が第２固定アーム部２２の奥側内面２２２に接近し、両係合用アーム部３１、３２全体が、固定アーム部２１、２２の内面２１１、２２１に接触摺動しつつハンドル部１の回動方向とは相対的に反対方向に若干回動する。そして第１係合用アーム部３１が、ハンドル部１の同方向へのさらなる回動に伴って係合用アーム部３１、３２の凹段部３３、３１７ａ、２２６に隣合う山部３１７ｂ又は３２５ｂが被回転体Ｗの角部Ｃを乗り越え得るように、バネ４に抗して第１固定アーム部２２側へ後退する後退位置Ｐ２をとることができる。位置Ｐ２では係合用アーム部３１の外面３１４が第１固定アーム部２１の内面２１１に接近している。
【００６８】
ハンドル部１をさらに同方向に回すと、図５（Ｄ）に示すように、第１係合用アーム部３１がバネ４に押されて、被回転体Ｗの角部Ｃの一つが第２固定アーム部２２の凹段部２２５と、第１係合アーム部３１の２つの凹段部３１８、３１８及び第２係合アーム部３２の凹段部３２５ａと係合する方向に係合アーム部３１、３２は移動する。
【００６９】
係合用アーム部３１、３２における凹段部３１８、３２５ａが被回転体角部Ｃに係合した状態で図５（Ｄ）に示すようにハンドル部１を被回転体Ｗに対し相対的に第２固定アーム部２２側へ回すことで係合用アーム部３１、３２の全体が、固定アーム部２１、２２の内面２１１、２２１と接触摺動しつつハンドル部１の回動方向とは相対的に反対方向に若干回動するとともに、係合用アーム部３１、３２の回動可能連結部分３０におけるアーム部３１の端部３１１の外面３１５がバネ４に助けられて第１固定アーム部２１の奥側内面２１２に当接する。さらにハンドル部１を同方向に回すことで係合用アーム部３１、３２が被回転体Ｗと係合状態のまま固定二股部２及び開度可変二股部３が共にハンドル部１とともに回動して被回転体Ｗを回動させることができ、該被回転体がボルト頭やナットのときはそれを締めつける、又は緩めることができる。
【００７０】
図６は、図５（Ｄ）に示す状態で被回転体Ｗを或る角度回したのち、ハンドル部１を再び第１固定アーム部２１側へ回し、さらにその後第２固定アーム部２２側へ回して、被回転体角部Ｃを再度凹段部３３、２２６、３１７ａに係合させて、被回転体Ｗを回し操作する様子を示している。
【００７１】
前記のように第１係合用アーム部３１が後退位置Ｐ１又は係合位置Ｐ２をとることができる状態では、ハンドル部１の第１固定アーム部２１側への回動操作に伴って第１係合用アーム部３１が係合位置Ｐ１と後退位置Ｐ２との間を繰り返し往復動でき、従ってハンドル部１を第２固定アーム部２１側へ任意の角度回動させて係合用アーム部３１、３２及び第２固定アーム部２２における凹段部３１７ａ、３３及び２２６又は３１８、３２５ａ、２２５を被回転体Ｗの角部Ｃに係合させることができる。
【００７２】
このスパナＳＰは、少ない部品点数で簡単な構造に製作でき、それだけ安価に製作できる。
【００７３】
このスパナＳＰは被回転体の角部の半数又はそれ以上を保持して締め付け又は緩めを行うので、被回転体Ｗの角部Ｃを傷めることが少ない。
【００７４】
スパナＳＰは片手でも簡単に操作することができ、使い易い。
【００７５】
【発明の効果】
以上説明したように本発明によると、断面多角形状のボルト頭、ナット等の被回転体に側方から嵌合係合させることができ、その係合状態のまま往復回動させて被回転体を締めつけ又は緩めることができる便利なスパナを提供することができる。
【００７６】
また本発明はによると、少ない部品点数で簡単な構造に製作でき、それだけ安価に製作できるスパナを提供することができる。
【００７７】
本発明によると、被回転体を傷めにくいスパナを提供することができる。
【００７８】
また本発明によると、使い易いスパナを提供することができる。
【図面の簡単な説明】
【図１】本発明に係るスパナの１例の全体の平面図である。
【図２】図１に示すスパナの底面図である。
【図３】図１に示すスパナの上蓋部を取り外した平面図である。
【図４】図１に示すスパナの上蓋部を取り外した状態の要部の拡大平面図である。
【図５】図１に示すスパナを被回転体に嵌合係合して回し操作開始するまでの工程を示す図である。
【図６】図５（Ｄ）に示す状態から再びハンドル部を第１固定アーム部側へ回動させたのち第２固定アーム部側へ回して被回転体を回し始める工程を示す図である。
【符号の説明】
ＳＰ　スパナ
１　ハンドル部
２　固定二股部
２０１　上蓋部
２０２　下蓋部
３　開度可変二股部
４　バネ
２１　第１固定アーム部
２２　第２固定アーム部
２１０、２２０　固定アーム部の自由端部
２１１、２２１　固定アーム部の内面
２１２、２２２　固定アーム部の奥側内面
Ｓ１　開口部
Ｓ２　中間空間部
Ｓ３　奥空間部
Ｗ　被回転体
Ｃ　被回転体角部
３１　第１係合用アーム部
３２　第２係合用アーム部
３１１、３２１　係合用アーム部の端部
３１２、３２２　係合用アーム部の自由端部
３１３、３２３　係合用アーム部の中間部
３１４、３２４　係合用アーム部の外面
３１５　係合用アーム部端部３１１の第１固定アーム部側外面
３１６　係合用アーム部端部３１１の突出部
３１６ａ　突出部外面
３０　係合用アーム部の回動可能連結部
３１１ａ　係合用アーム部端部３１１の円筒状孔
３１１ｂ　筒状孔３１１ａに連続する切欠部
３１７、３２５　係合用アーム部内面
３１７ａ、３１８、３３、２２５、２２６、３２５ａ　凹段部
３１７ｂ、３２５ｂ　山部
２１１ａ、２２１ａ　固定アーム部自由端部の凹曲面
３１４ａ、３２４ｂ　係合用アーム部自由端部の曲率の凸曲面部分
【図１】
2004034271.tif 000003
【図２】
2004034271.tif 000004
【図３】
2004034271.tif 000005
【図４】
2004034271.tif 000006
【図５】
2004034271.tif 000007
【図６】
2004034271.tif 000008